(57)【特許請求の範囲】
【請求項１】
軸心に沿った軸孔（１２）を設けた筒壁（１１）の前部に、軸心方向に開放部（１３）を開設すると共に、該開放部（１３）の後端位置の筒壁（１１）部分に係止凹部（１４）を設け、前記筒壁（１１）の後端に指掛けフランジ（１５）を一体設した本体筒（１）と、
前記開放部（１３）を通して筒壁（１１）内に収納可能な収納筒部（２３）の前端にノズル（２２）を設け、該収納筒部（２３）の後端に、前記ノズル（２２）を所定の方向に向けたとき前記係止凹部（１４）に係止可能な係止突片（２４）を設け、前記ノズル（２２）を含めて軸心に沿った貫通孔（２１）を形成し、かつ前記ノズル（２２）の先端にキャップ（２５）を密に被嵌すると共に、前記貫通孔（２１）の後端部分にピストン（２６）を摺動可能に密嵌して、前記貫通孔（２１）内に薬液を密閉収納するアタッチメント（２）と、
前記本体筒（１）の筒壁（１１）にスライド可能に、かつ抜け出し不能に外嵌するロックパイプ（３）と、該ロックパイプ（３）の前記筒壁（１１）前部へのスライド時に、前記開放部（１３）に位置して前記収納筒部（２３）を抑える抑え体（４）と、
前記本体筒（１）の軸孔（１２）に後方から摺動可能に、かつ抜け出し不能に嵌合し、該本体筒（１）への押込みにより、前端が前記ピストン（２６）を押圧して前進させる操作ロッド（５）と、から成るシリンジ容器。
【請求項２】
抑え体（４）を、ロックパイプ（３）の内周面に軸心方向に沿って形成した突条（４１）で構成した請求項１記載のシリンジ容器。
【請求項３】
抑え体（４）を、本体筒（１）の筒壁（１１）の開放部（１３）後端に、ヒンジ（４３）を介して前記開放部（１３）に出入り可能に連結した回動板（４２）で構成した請求項１記載のシリンジ容器。
【発明の詳細な説明】
【０００１】
【発明の属する技術分野】
本発明は、主に歯科治療等に使用されるシリンジ容器に関するものである。
【０００２】
【従来の技術】
この種のシリンジ容器として、比較的硬質な合成樹脂材料により、先端にノズルを有するシリンジ筒を一体成形し、該シリンジ筒内に収納された薬液を、ピストンの押込みにより、ノズルから注出して口腔内の患部に投与、注入するようにしたものが知られている。
【０００３】
しかし、上記シリンジ容器は、衛生上の観点から一回の使用毎に使い捨てるものであるため、容器自体は勿論、内部に相当量残存している薬液も一回毎に捨てざるを得ず、不経済であった。
【０００４】
このような問題を解決すべく、特開平８−２４３１６０号公報には、先端にノズル（チューブ）を屈曲形成したチップを、シリンダ本体の先端に着脱可能に螺着して構成され、一回の使用毎に上記チップのみを交換するようにした注入用具が開示されている。
【０００５】
【発明が解決しようとする課題】
しかしながら、上記公報記載の従来技術にあっては、薬液がシリンダ本体からチップの先端まで連通している貫通孔に充填されているので、チップ交換時において、チップをシリンダ本体から取外すと、シリンダ本体内に残存している薬液の液面が露出状態になるため、この露出液面から薬液が汚染される恐れがある、という問題があった。
【０００６】
また、ノズルを有するチップは、螺合によりシリンダ本体に着脱可能に組み付けられるので、この螺合の緩みによりチップの組付きが不安定になり、使用（治療）中にノズル部分が動く恐れがある、という問題があった。
【０００７】
そこで、本発明は、上記した従来技術における問題点を解消すべく創案されたもので、先端にノズルを有するアタッチメントを使用毎に交換するシリンジ容器において、アタッチメント交換時に薬液が汚染される恐れを全く無くすと共に、アタッチメントの組付きを強固にすることを技術的課題とし、もって衛生的にも構造的にも全く安全なカートリッジ式のシリンジ容器を提供することを目的とする。
【０００８】
【課題を解決するための手段】
上記技術的課題を解決する本発明の内、請求項１記載の発明の手段は、
軸心に沿った軸孔を設けた筒壁の前部に、軸心方向に開放部を開設すると共に、この開放部の後端位置の筒壁部分に係止凹部を設け、筒壁の後端に指掛けフランジを一体設した本体筒を有すること、
開放部を通して本体筒の筒壁内に収納可能な収納筒部の前端にノズルを設けると共に、後端に本体筒の係止凹部に係止可能な係止突片を設け、ノズルを含めて軸心に沿った貫通孔を形成し、かつノズルの先端にキャップを液密に被嵌すると共に、貫通孔の後端部分にピストンを摺動可能に密嵌して、貫通孔内に薬液を密閉収納するアタッチメントを有すること、
本体筒の筒壁にスライド可能に、かつ抜け出し不能に外嵌するロックパイプを有すること、
このロックパイプの、本体筒の筒壁前部へのスライド時に、本体筒の開放部に位置してアタッチメントの収納筒部を抑える抑え体を有すること、
本体筒の軸孔に後方から摺動可能に、かつ抜け出し不能に嵌合し、この本体筒への押込みにより、前端がアタッチメントのピストンを押圧して前進させる操作ロッドを有すること、
にある。
【０００９】
使用時には、貫通孔内に薬液を充填収納し、かつピストンとキャップとによって密閉されたアタッチメントを本体筒に組付けるが、その場合、アタッチメントの係止突片を本体筒の係止凹部に挿入しながら、アタッチメントの収納筒部を、本体筒の筒壁の外方から開放部を通して筒壁内に収納し、しかる後、ロックパイプを本体筒の筒壁の前部へスライドさせる。
【００１０】
この組付けにより、アタッチメントの係止突片が本体筒の係止凹部に係止すると共に、本体筒の開放部に位置する抑え体が、アタッチメントの収納筒部に当接してこれを抑えるため、アタッチメントは、本体筒に対して所定の方向に位置決めされて不動に組み付けられる。
【００１１】
次いで、キャップを取外し、アタッチメントのノズルの先端を口腔内等の患部に位置させて操作ロッドを押込むと、アタッチメント内のピストンが前進して薬液を患部に注入する。
【００１２】
使用済のアタッチメントは、前記と逆の操作により取外して捨て、新しいアタッチメントと交換するが、薬液はアタッチメント内に密閉収納されているので、このアタッチメント交換時において液面が露出状態になることは全く無く、従って薬液が汚染される恐れも全く無い。
【００１３】
請求項２記載の発明は、請求項１記載の発明に、抑え体を、ロックパイプの内周面に軸心方向に沿って形成した突条で構成した、ことを加えたものである。
【００１４】
この請求項２記載の発明にあっては、ロックパイプのロック動作、すなわち本体筒に対する摺動変位動作が、抑え体による、本体筒に対してアタッチメントを不動に抑え込む動作をも兼ねることになるので、本体筒に対するアタッチメントの着脱取扱いがきわめて簡単となる。
【００１５】
請求項３記載の発明は、請求項１記載の発明に、抑え体を、本体筒の筒壁の開放部後端に、ヒンジを介して開放部に出入り可能に連結した回動板で構成した、ことを加えたものである。
【００１６】
この請求項３記載の発明にあっては、ロックパイプのロック動作、すなわち本体筒に対する摺動変位動作が、抑え体による抑え込み動作を完成、強化させることになるので、本体筒に対するアタッチメントの不動な組付きを、より強固にかつ確実に達成維持することになる。
【００１７】
【発明の実施の形態】
以下、本発明の実施例を、図面を参照しながら説明する。
図１〜３は第一実施例を示したもので、シリンジ容器は、それぞれ適宜の合成樹脂で成形された本体筒１と、ノズル２２を有するカートリッジ式のアタッチメント２と、ロックパイプ３と、抑え体４と、そして操作ロッド５と、から構成されている。
【００１８】
本体筒１は、軸孔１２を設けた円筒状の筒壁１１の前部に、軸心方向に沿って開放部１３を開設すると共に、この開放部１３の後端位置の筒壁１１部分に、係止凹部１４が周方向三箇所に設けてある。
【００１９】
筒壁１１の後部には、開放部１３に連通した形態のガイド孔１７と、独立した形態のガイドスリット１８とが、それぞれ軸心方向に沿って開設されていると共に、前端部を筒壁１１の内周面よりもやや突出させた係止爪片１６が、半抜き状に形成されており（図３参照）、また筒壁１１の後端には、指掛けフランジ１５が一体設されている。
【００２０】
貫通孔２１に薬液を密閉収納するアタッチメント２は、本体筒１の筒壁１１内に開放部１３を通して収納可能な収納筒部２３の前端に、ノズル２２を屈曲形成すると共に、後端には、各係止凹部１４に係止可能な係止突片２４が周方向の所定位置三箇所に設けてある。
【００２１】
貫通孔２１の両端は、ノズル２２の先端部に密に被嵌するキャップ２５（図２参照）と、この貫通孔２１の後端部分に摺動可能に密嵌するピストン２６とによって密閉される。
【００２２】
ピストン２６の前面には、このピストン２６の前進による薬液注出時に、その残量を少なくするための突起２７が設けてある。
【００２３】
ロックパイプ３は、本体筒１の筒壁１１にスライド可能に外嵌する筒壁３１の内周面に、ガイド孔１７に収容可能な、抑え体４としての突条４１が軸心方向に沿って形成されていると共に、内周面の後部には、ガイドスリット１８に収容可能な抜け止め片３２が突設されている。
【００２４】
操作ロッド５は、前部の小径部５１と、中間部の中径部５２と、本体筒１の軸孔１２に摺接する後部の大径部５３と、から形成されており、後端に操作フランジ５４が一体設されていると共に、中径部５２の前端に、大径部５３と略同径の係止フランジ５５が一体設されている。
【００２５】
このシリンジ容器の組立てを説明すると、図２に示すように、まず、本体筒１の後方から操作ロッド５を軸孔１２に挿入するが、その際、係止フランジ５５が係止爪片１６の突出している前端部を乗り越えるため、この係止爪片１６の前面に対する係止フランジ５５後面の当接により、操作ロッド５の本体筒１からの抜けが防止される。
【００２６】
次いで、ロックパイプ３を、本体筒１の筒壁１１に前方から外嵌させ、かつ突条４１をガイド孔１７に挿入させながらスライドさせて、ロックパイプ３を筒壁１１の後部に位置させる。
【００２７】
この組付けにより、ロックパイプ３の抜け止め片３２が筒壁１１のガイドスリット１８内に位置することになるため、ロックパイプ３の本体筒１からの抜けが防止される。
【００２８】
そして、貫通孔２１内に薬液が充填され、かつピストン２６とキャップ２５とによって密閉されたアタッチメント２を本体筒１に組付けるが、その場合、係止突片２４を係止凹部１４に挿入しながら、アタッチメント２の収納筒部２３を筒壁１１の外方から開放部１３を通して筒壁１１内に収納し、しかる後、ロックパイプ３を、その抜け止め片３２がガイドスリット１８の前端面に突き当るまで前方へスライドさせる。
【００２９】
この組付けにより、係止突片２４が係止凹部１４に係止すると共に、ロックパイプ３内の突条４１が収納筒部２３に当接してこれを抑えるため、アタッチメント２は、本体筒１に対して、ノズル２２が所定の方向に位置決めされて不動に組付けられる（図３参照）。
【００３０】
図４、図５は第二実施例を示したもので、アタッチメント２を抑える抑え体４を、本体筒１の筒壁１１の開放部１３後端に、ヒンジ４３を介して連結された回動板４２で構成したものである。
【００３１】
この第二実施例において、本体筒１へのアタッチメント２の組付けは、回動板４２を起立させた状態で、開放部１３を通して収納筒部２３を筒壁１１内に収納し、しかる後、ロックパイプ３を前方へスライドさせることにより、回動板４２を開放部１３内に倒して収納筒部２３を抑え、アタッチメント２を本体筒１に不動にロックする。
【００３２】
【発明の効果】
本発明は、上記した構成となっているので、以下に示す効果を奏する。
請求項１記載の発明にあっては、薬液が密閉収納されたアタッチメントを、本体筒に着脱交換可能に組付けて使用するので、このアタッチメント交換持において薬液の液面が露出状態になることは全く無く、従って薬液が汚染される恐れも無く、もって衛生的に全く安全なカートリッジ式のシリンジ容器を提供することができる。
【００３３】
また、アタッチメントの組付きは、アタッチメントの係止突片が本体筒の係止凹部に係止すると共に、ロックパイプのスライドにより抑え体が収納筒部を抑えるため、アタッチメントは、本体筒に対して所定の方向に位置決めされて不動に組み付けられ、もってノズル部分が動く恐れなく、シリンジ容器を安全に使用することができる。
【００３４】
請求項２記載の発明にあっては、ロックパイプのロック動作と抑え体の抑え動作とが一緒であるので、本体に対するアタッチメント着脱操作が、きわめて簡単なものとすることができる。
【００３５】
請求項３記載の発明にあっては、ロックパイプのロック動作が、抑え体の抑え動作を完成させるだけではなく、強化させるので、本体筒に対するアタッチメントの不動組付きを、強固にかつ確実に達成する。
【図面の簡単な説明】
【図１】本発明の第一実施例を示す、分解斜視図。
【図２】図１に示した実施例の、組立状態を示す斜視図。
【図３】図１に示した実施例の、組立状態を示す後部半断面図。
【図４】本発明の第二実施例を示す、分解斜視図。
【図５】図４に示した実施例の、組立状態を示す斜視図。
【符号の説明】
１  ；  本体筒
１１；  筒壁
１２；  貫通孔
１３；  開放部
１４；  係止凹部
１５；  指掛けフランジ
１６；  係止爪片
１７；  ガイド孔
１８；  ガイドスリット
２  ；  アタッチメント
２１；  貫通孔
２２；  ノズル
２３；  収納筒部
２４；  係止突片
２５；  キャップ
２６；  ピストン
２７；  突起
３  ；  ロックパイプ
３１；  筒壁
３２；  抜け止め
４  ；  抑え体
４１；  突条
４２；  回動板
４３；  ヒンジ
５  ；  操作ロッド
５１；  小径部
５２；  中径部
５３；  大径部
５４；  操作フランジ
５５；  係止フランジ
【図１】
0003747220.tif 000002
【図２】
0003747220.tif 000003
【図３】
0003747220.tif 000004
【図４】
0003747220.tif 000005
【図５】
0003747220.tif 000006